(57)【特許請求の範囲】
【請求項１】
厨房装置の天板を形成するカウンター、厨房装置の上方に配設される吊り棚の底板または厨房装置の上方の天井板に上下に貫通する貫通孔が形成され、外周にフランジ部を有する中空な継手部材が中空部を貫通孔に一致させて前記カウンター、底板または天井板に固定され、電気機器を支持する筒状の支持棒は、継手部材よりも一回り太い下端部を有し、この下端部が、継手部材においてフランジ部から上方に突出する部分に装着され、前記下端部の側面から固定ねじが継手部材の側面に向けてねじ込まれ、支持棒が、継手部材に固定されてカウンター、底板または天井板に取り付けられることを特徴とする電気機器の取付構造。
【請求項２】
継手部材のフランジ部から一端側が貫通孔に嵌合し、継手部材のフランジ部から他端側に支持棒の一端部が装着される請求項１記載の電気機器の取付構造。
【請求項３】
継手部材のフランジ部から一端側がカウンター、底板または天井板から突出する長さを有するとともに、外周にねじが切られ、カウンター、底板または天井板から突出する部分に締付用ナットが螺着され、フランジ部と締付用ナットの間にカウンター、底板または天井板を挟み込み、継手部材がカウンター、底板または天井板に固定される請求項２記載の電気機器の取付構造。
【発明の詳細な説明】
【技術分野】
【０００１】
本願発明は、厨房装置の周辺に表示装置などの電気機器を取り付けるための電気機器の取付構造に関する。
【背景技術】
【０００２】
従来、テレビ、ＤＶＤ、ビデオなどの表示装置や情報端末などの電気機器を厨房装置の周辺に取り付ける際には、厨房装置のカウンター、厨房装置の上方に取り付けられる吊り棚の底板、厨房装置の上方の天井板などに支持棒を介して電気機器を取り付けるのが一般的であった。
【０００３】
しかしながら、電気機器に接続する電源線、情報線などの電線は露出しており、この露出配線により美観が損なわれ、また、電線の耐久性が損なわれている。さらに、露出配線は厨房装置で行う調理、洗浄などの作業に支障をきたしている。
【０００４】
一方、流し台の天板に固定される流し台用照明灯が提案されている（特許文献１）。特許文献１には、流し台用照明灯の流し台の天板への固定は、基部パイプの台座より下の部分を天板に開けた孔に挿通し、天板の裏側から留め板を介してボルトを台座の裏側に締め込んで行われ、電源コードなどの配線を、パイプ内を通して天板の裏側に引き出すことができると記載されている。また、特許文献１には、基部パイプより下の部分の周囲に雄ネジを設け、ナットを螺着することも記載されている。
【特許文献１】特開２００５−１４１９２５号公報
【発明の開示】
【発明が解決しようとする課題】
【０００５】
特許文献１に記載されたように、電線はパイプ内を通して天板の裏側に引き出すことができ、露出配線を解消することができる。露出配線にともなう数々の問題点も解消される。
【０００６】
しかしながら、特許文献１では、基部パイプを直に流し台の天板に固定するため、固定強度が必ずしも十分でなく、特に人工大理石等の樹脂製の天板ではボルトを締め込む際にクラックなどが入るおそれがあり、電気機器を安定して取り付けられない可能性がある。
【０００７】
本願発明は、このような事情に鑑みてなされたものであり、露出配線を解消し、美観、電線の耐久性を向上させ、厨房装置で行う諸作業をスムーズ化するとともに、安定して電気機器を取り付けることのできる電気機器の取付構造を提供することを課題としている。
【課題を解決するための手段】
【０００８】
本願発明は、上記の課題を解決するために、第１に、厨房装置の天板を形成するカウンター、厨房装置の上方に配設される吊り棚の底板または厨房装置の上方の天井板に上下に貫通する貫通孔が形成され、外周にフランジ部を有する中空な継手部材が中空部を貫通孔に一致させて前記カウンター、底板または天井板に固定され、電気機器を支持する筒状の支持棒は、継手部材よりも一回り太い下端部を有し、この下端部が、継手部材においてフランジ部から上方に突出する部分に装着され、前記下端部の側面から固定ねじが継手部材の側面に向けてねじ込まれ、支持棒が、継手部材に固定されてカウンター、底板または天井板に取り付けられることを特徴としている。
【０００９】
本願発明は、第２に、継手部材のフランジ部から一端側が貫通孔に嵌合し、継手部材のフランジ部から他端側に支持棒の一端部が装着されることを特徴としている。
【００１０】
本願発明は、第３に、継手部材のフランジ部から一端側がカウンター、底板または天井板から突出する長さを有するとともに、外周にねじが切られ、カウンター、底板または天井板から突出する部分に締付用ナットが螺着され、フランジ部と締付用ナットの間にカウンター、底板または天井板を挟み込み、継手部材がカウンター、底板または天井板に固定されることを特徴としている。
【００１１】
本願発明は、第４に、厨房装置の天板を形成するカウンター、厨房装置の上方に配設される吊り棚の底板または厨房装置の上方の天井板に上下に貫通する貫通孔が形成され、断面コ字型の形状を有し、縦幅がカウンター、底板または天井板の厚みより長い基台部分の対向面において一方の面に筒状の支持棒が一体に配設され、支持棒の中空部に対向する基台部分の一方の面に上下に貫通する貫通孔が形成され、他方の面には前記カウンター、底板または天井板に形成された貫通孔より内側にねじ穴が形成され、基台部分の貫通孔とカウンター、底板または天井板に形成された貫通孔を一致させ、締付用ねじを基台部分のねじ穴に螺着し、基台部分の一方の面と締付用ねじの間でカウンター、底板または天井板を挟み込み、支持棒がカウンター、底板または天井板に取り付けられることを特徴としている。
【００１２】
本願発明は、第５に、一方の面に形成された貫通孔に対向する他方の面にも上下に貫通する貫通孔が形成されていることを特徴としている。
【発明の効果】
【００１３】
本願の第１の発明によれば、電気機器を支持する筒状の支持部の中空部が厨房装置の天板を形成するウンター、厨房装置の上方に配設される吊り棚の底板または厨房装置の上方の天井板の裏側に連通するため、電線を支持棒の中空部を通じてカウンター、底板または天井板の裏側に配線することができる。露出配線が解消され、美観、電線の耐久性が向上し、厨房装置で行う諸作業がスムーズなものとなる。
【００１４】
また、支持棒のカウンター、底板または天井板への取付けは、中空な継手部材を介して行われるため、十分な固定強度を確保することができ、カウンター、底板または天井板にクラックが生じることがなく、電気機器を安定してカウンター、底板または天井板に取り付けることができる。
【００１５】
本願の第２の発明によれば、継手部材のフランジ部から一端側が貫通孔に嵌合するため、継手部材の固定強度が高まり、支持棒の取付強度が高まる。
【００１６】
本願の第３の発明によれば、継手部材のカウンター、底板または天井板への固定が簡便となる。
【００１７】
本願の第４の発明によれば、電気機器を支持する筒状の支持部の中空部が厨房装置の天板を形成するウンター、厨房装置の上方に配設される吊り棚の底板または厨房装置の上方の天井板の裏側に連通するため、電線を支持棒の中空部を通じてカウンター、底板または天井板の裏側に配線することができる。露出配線が解消され、美観、電線の耐久性が向上し、厨房装置で行う諸作業がスムーズなものとなる。
【００１８】
また、支持棒を、中空部をカウンター、底板または天井板の裏面側に連通させてカウンター、底板または天井板に簡便に取り付けることができる。さらに、カウンター、底板または天井板の裏側に引き出す電線を基台部分とカウンター、底板または天井板の間に引き回すことができる。
【００１９】
本願の第５の発明によれば、基台部分の裏側まで電線を引き出すことができる。
【発明を実施するための最良の形態】
【００２０】
以下の実施形態は、厨房装置の天板を形成するカウンターに電気機器を支持する支持棒を取り付ける場合を示している。厨房装置の上方に配設される吊り棚の底板または厨房装置の上方の天井板に支持棒を取り付ける場合は、カウンターに取り付ける場合と天地が逆になることにおいて異なるが、構造自体はまったく同様である。
【００２１】
図１に示した実施形態では、カウンター１に上下に貫通する貫通孔２が形成され、テレビ、ＤＶＤ、ビデオなどの表示装置やモニターなどの情報端末などの電気機器を支持する筒状の支持棒３が、中空部４をカウンター１の裏側に連通させてカウンター１に取り付けられている。このため、電気機器に接続された電源線、情報線などの電線５を支持棒３の中空部４を通じてカウンター１の裏側に配線することができる。露出配線が解消され、美観、電線５の耐久性が向上し、厨房装置で行う諸作業がスムーズになる。
【００２２】
また、図１に示した実施形態では、支持棒３のカウンター１への取付けを中空な継手部材６を介して行っている。継手部材６は、外周にフランジ部７を有し、中空部１０を貫通孔２に一致させてカウンター１に固定されている。好ましくは、フランジ部７から下側の部分をカウンター１に形成された貫通孔２に嵌合させる。貫通孔２への嵌合により継手部材６の固定強度が高まり、支持棒３の取付強度が高まる。
【００２３】
支持棒３をカウンター１に取り付ける際には、継手部材６を、フランジ部７から下側の部分を貫通孔２に嵌合させ、フランジ部７をカウンター１の表面８に当接させて配置した後、固定ねじ９をフランジ部７からカウンター１に向けてねじ込み、固定する。そして、継手部材６においてフランジ部７から上方に突出する部分に支持棒３の継手部材６より一回り太くした下端部を装着し、支持棒３の下端部の側面から固定ねじ９を継手部材６の上方に突出する部分の側面に向けてねじ込み、支持棒３を継手部材６に固定する。継手部材６はカウンター１に固定されているので、継手部材６に固定することにより支持棒３はカウンター１にしっかりと取り付けられる。配線する電線５は、支持棒３の中空部４、継手部材６の中空部１０、カウンター１の貫通孔２を経てカウンター１の裏面側に引き出すことができる。
【００２４】
このように、支持棒３のカウンター１への取付けは、中空な継手部材６を介して行われるため、十分な固定強度を確保することができ、カウンター１にクラックが生じることがなく、電気機器を安定してカウンター１に取り付けることができる。
【００２５】
また、図１に示した実施形態では、継手部材６のカウンター１への固定および支持棒３の継手部材６への固定をカウンター１の上方で行うことができ、カウンター１の裏側での作業は必要なく、固定作業が容易である。また、継手部材６の固定に用いられる固定ねじ９は継手部材６への支持棒３の装着によって外部に露出しないため、見栄えが良好である。しかも、支持棒３の下端は継手部材６のフランジ部７の表面と略面一であり、外見が良好である。
【００２６】
図２に示した実施形態は、図１に示した実施形態と同様に、支持棒３のカウンター１への取付けに継手部材６を介在させるものである。継手部材６は外周にフランジ部７を有し、フランジ部７から下側の部分がカウンター１から下方に突出する長さを有するとともに、外周にねじが切られている。支持棒３をカウンター１に取り付ける際には、継手部材６を、フランジ部７から下側の部分を貫通孔２に嵌合させ、フランジ部７をカウンター１の表面８に当接させて配置した後、継手部材６のカウンター１から下方に突出する部分に下端から締付用ナット１１を螺着し、フランジ部７と締付用ナット１１の間でカウンター１を上下に挟み込み、継手部材６をカウンター１に固定する。そして、継手部材６においてフランジ部７から上方に突出する部分に支持棒３の継手部材６より一回り太くした下端部を装着し、支持棒３の下端部の側面から固定ねじ９を継手部材６の上方に突出する部分の側面に向けてねじ込み、支持棒３を継手部材６に固定する。継手部材６はカウンター１に固定されているので、継手部材６に固定することにより支持棒３はカウンター１に取り付けられる。配線する電線５は、支持棒３の中空部４、継手部材６の中空部１０を経てカウンター１の裏面側に引き出すことができる。
【００２７】
このように、支持棒３のカウンター１への取付けは、中空な継手部材６を介して行われるため、十分な固定強度を確保することができ、カウンター１にクラックが生じることがなく、電気機器を安定してカウンター１に取り付けることができる。また、支持棒３の下端は継手部材６のフランジ部７の表面と略面一であり、外見が良好である。
【００２８】
図２に示した実施形態は、図１に示した実施形態と比較すると、カウンター１の下部での作業が必要となるが、締付用ナット１１の螺着という簡便な作業であり、継手部材６のカウンター１への固定が簡便となっている。
【００２９】
図３に示した実施形態では、断面コ字型の形状を有し、縦幅がカウンター１の厚みより長い基台部分１２を介して支持棒３がカウンター１に取り付けられる。基台部分１２において対向面１３、１４の一方の面１３に筒状の支持棒３が一体に配設されている。また、支持棒３の中空部４に対向する基台部分１２の面１３に上下に貫通する貫通孔１５が形成されている。面１４にはカウンター１に形成された貫通孔２より内側にねじ穴が２箇所形成されている。ねじ穴は締付用ねじ１７の下側からの螺着が可能になっている。
【００３０】
図３に示した実施形態において支持棒３をカウンター１の表面８に取り付ける際には、まず、基台部分１２の面１３に形成された貫通孔１５とカウンター１の貫通孔２を一致させ、基台部分１２をカウンター１上に配置し、支持棒３の中空部４を貫通孔１５および貫通孔２を通じてカウンター１の裏面側に連通させる。この状態において基台部分１２の上角部１６がカウンター１の端縁部に重合するように、基台部分１２を設計しておく。基台部分１２の上角部１６のカウンター１の端縁部の重合により、支持棒３の取付強度がさらに向上し、取付状態がより安定になる。
【００３１】
次いで、締付用ねじ１７を基台部分１２の面１４に形成されたねじ穴に下側より螺着する。そして、基台部分１２の面１３と締付用ねじ１７の間でカウンター１を挟み込む。この挟み込みによって支持棒３がカウンター１にしっかりと取り付けられる。支持棒３のカウンター１への取付けは、断面コ字型の形状を有し、縦幅がカウンター１の厚みより長い基台部分１２を介して行われるため、十分な固定強度を確保することができ、カウンター１にクラックが生じることがなく、電気機器を安定してカウンター１に取り付けることができる。また、支持棒３の取付作業は基台部分１２を介在させているので、締付用ねじ１７の螺着のみによって行うことができ、支持棒３を、中空部４をカウンター１の裏面側に連通させてカウンター１に簡便に取り付けることができる。
【００３２】
支持棒３の中空部４に配線された電線５は、基台部分１２の面１３の貫通孔１５およびカウンター１の貫通孔２を経てカウンター１の裏面側に引き出すことができる。基台部分１２の縦幅はカウンター１の厚みより長いため、カウンター１の裏面と基台部分１２の面１４の間にスペース１８が形成され、カウンター１の裏面側に引き出した電線５はスペース１８を通じて引き回すことができる。
【００３３】
図４に示した実施形態は、基本的な構成は図３に示した実施形態と共通している。すなわち、断面コ字型の形状を有し、縦幅がカウンター１の厚みより長い基台部分１２を介して支持棒３がカウンター１に取り付けられる。基台部分１２において対向面１３、１４の一方の面１３に筒状の支持棒３が一体に配設されている。また、支持棒３の中空部４に対向する基台部分１２の面１３に上下に貫通する貫通孔１５が形成されている。面１３にはカウンター１に形成された貫通孔２より内側にねじ穴が２箇所形成されている。ねじ穴は締付用ねじ１７の下側からの螺着が可能になっている。また、基台部分１２の上角部１６がカウンター１の端縁部に重合するように、基台部分１２が設計されている。
【００３４】
加えて図４に示した実施形態では、基台部分１２において面１３に形成された貫通孔１５に対向する面１４にも上下に貫通する貫通孔１９が形成されている。
【００３５】
図４に示した実施形態において支持棒３をカウンター１の表面８に取り付ける際には、まず、基台部分１２の面１３に形成された貫通孔１５とカウンター１の貫通孔２を一致させ、基台部分１２をカウンター１上に配置し、支持棒３の中空部４を貫通孔１５および貫通孔２を通じてカウンター１の裏面側に連通させる。基台部分１２の上角部１６がカウンター１の端縁部に重合するため、支持棒３の取付強度がさらに向上し、取付状態がより安定になる。
【００３６】
次いで、締付用ねじ１７を基台部分１２の面１４に形成されたねじ穴に下側より螺着する。基台部分１２の面１３と締付用ねじ１７の間でカウンター１を挟み込む。この挟み込みによって支持棒３がカウンター１にしっかりと取り付けられる。支持棒３のカウンター１への取付けは、断面コ字型の形状を有し、縦幅がカウンター１の厚みより長い基台部分１２を介して行われるため、十分な固定強度を確保することができ、カウンター１にクラックが生じることがなく、電気機器を安定してカウンター１に取り付けることができる。また、支持棒３の取付作業は基台部分１２を介在させているので、締付用ねじ１７の螺着のみによって行うことができ、支持棒３を、中空部４をカウンター１の裏面側に連通させてカウンター１に簡便に取り付けることができる。
【００３７】
支持棒３の中空部４に配線された電線５は、基台部分１２の面１３の貫通孔１５およびカウンター１の貫通孔２を経てカウンター１の裏面側に引き出すことができる。さらに、面１４に形成された貫通孔１９はカウンター１の貫通孔２と連通しているため、貫通孔１９を通じて電線５をさらにカウンター１の下方に引き出すことができる。
【００３８】
以上に例示される電気機器の取付構造によって、図５に示したように、カウンター１にテレビや情報端末などの電気機器２０を取り付けることができる。電気機器２０に接続された電線は支持棒３の中空部４を通じてカウンター１の裏面側に引き出され、露出配線は解消される。美観、電線の耐久性が向上し、厨房装置で行う諸作業がスムーズになる。支持棒３の取付けには継手部材６または基台部分１２が介在しているので、電気機器２０はカウンター１に安定に取り付けられる。
【００３９】
なお、支持棒３の中空部４には、電気機器２０の載置台２１に連結された筒状の伸縮棒２２を摺動自在に配設し、電気機器２０の高さを厨房装置で作業する作業者の目線に合うように調節することができる。載置台２１は伸縮棒２２に対し上下に回動自在に設けることができ、電気機器２０の傾きを調整することができる。伸縮棒２２は、支持棒３の中空部４に摺動可能であれば特に構造は制限されない。また、載置台２１の回動も構造は特に制限されない。適宜な構造を採用することができる。
【００４０】
図６は、支持棒３を、カウンター１の上方に配設された吊り棚２３の底板２４に取り付けた場合を示している。図６に示したように、吊り棚２３の底板２４に支持棒３を取り付ける場合、図５に示したカウンター１に取り付ける場合と天地が逆になるだけで取付構造自体はなんら変わらない。一方、電気機器２０を厨房装置で作業する作業者の目線に合うように配置するために、図６に示した実施形態では、高さ調整具２５を支持棒３の外周に沿って上下に摺動自在に配設することができる。載置台２１は高さ調整具２５に対して上下に回動自在に連結することができる。高さ調整具２５の構造や載置台２１との連結構造は特に制限されず、適宜なものを採用することができる。
【図面の簡単な説明】
【００４１】
【図１】本願発明の電気機器の取付構造の一実施形態を示した要部断面図である。
【図２】本願発明の電気機器の取付構造の一実施形態を示した要部断面図である。
【図３】（ａ）（ｂ）は、それぞれ、本願発明の電気機器の取付構造の一実施形態を示した要部側断面図、正断面図である。
【図４】（ａ）（ｂ）は、それぞれ、本願発明の電気機器の取付構造の一実施形態を示した要部側断面図、正断面図である。
【図５】（ａ）（ｂ）は、それぞれ、本願発明の電気機器の取付構造によって電気機器をカウンターに取り付けた場合を示した要部側面図、要部正面図である。
【図６】本願発明の電気機器の取付構造によって電気機器を厨房装置の上方に配設された吊り棚の底板に取り付けた場合を示した要部側面図である。
【符号の説明】
【００４２】
１    カウンター
２    貫通孔
３    支持棒
４    中空部
５    電線
６    継手部材
７    フランジ部
８    表面
９    固定ねじ
１０    中空部
１１    締付用ナット
１２    基台部分
１３    面
１４    面
１５    貫通孔
１６    上角部
１７    締付用ねじ
１８    スペース
１９    貫通孔
２０    電気機器
２１    載置台
２２    伸縮棒
２３    吊り棚
２４    底板
２５    高さ調整具
【図１】
0004710567.tif 000002
【図２】
0004710567.tif 000003
【図３】
0004710567.tif 000004
【図４】
0004710567.tif 000005
【図５】
0004710567.tif 000006
【図６】
0004710567.tif 000007